(57)【要約】【課題】簡易な作業で浮きの大きさ・形状等を変更可能な浮きを提供する。【解決手段】この浮きは、内部に長手方向に貫通する収納部を有すると共に外から収納部に至るスリットが長手方向に延びて形成されている外殻体１と、収納部内に径方向平面において回転自在に収納され、径方向中央付近を長手方向に貫通する貫通孔及び外から貫通孔に至るスリットが長手方向に延びて形成されており、外より圧をかけることで貫通孔が圧縮され得る弾性を有する釣糸掴持体２と、釣糸掴持体２の外周に脱着自在に装着される交換浮き体３とから構成される。【選択図】      図１
2004201575.tif 000002
【特許請求の範囲】
【請求項１】
魚釣りの際に釣糸に取り付ける浮きであって、
内部に長手方向に貫通する収納部を有すると共に外から前記収納部に至るスリットが長手方向に延びて形成されている外殻体と、
前記収納部内に径方向平面において回転自在に収納され、径方向中央付近を長手方向に貫通する貫通孔及び外から前記貫通孔に至るスリットが長手方向に延びて形成されており、外より圧をかけることで前記貫通孔が圧縮され得る弾性を有する釣糸掴持体と、
前記外殻体内の収納部内に於いて前記釣糸掴持体に圧をかけて圧縮する圧縮状態とその圧を解除する解放状態とを作り出す変圧手段と、
前記外殻体若しくは釣糸掴持体の外周に脱着自在に装着される交換浮き体と、を備えた浮き。
【請求項２】
前記交換浮き体は前記外殻体若しくは釣糸摘持体を収納可能な中空が形成された本体部を有し、前記本体部には外から前記中空に至るスリットが長手方向に延びて形成されている、請求項１に記載の浮き。
【請求項３】
前記外殻体若しくは釣糸摘持体は外周面に滑止機構を有する、請求項２に記載の浮き。
【請求項４】
魚釣りの際に釣糸に取り付ける浮きであって、
釣糸が貫通する貫通孔を有する本体部と、
前記本体部を釣糸上の任意の位置で位置決めするための位置決め手段と、
前記本体部に脱着自在に装着される交換浮き体と、
を備えた浮き。
【請求項５】
釣糸が貫通する貫通孔を長手方向に有すると共に外から前記貫通孔に至るスリットが長手方向に延びて形成されており、一端側ほど外径が小径化するテーパ棒を有し、
前記本体部の前記貫通孔の一端側内周面は内方向ほど小径化するテーパ面となっており、
前記位置決め手段は前記本体部のテーパ面とテーパ棒である、請求項４に記載の浮き。
【発明の詳細な説明】
【０００１】
【発明の属する技術分野】
本発明は魚釣りに用いる浮き、特に、中通し浮きと呼ばれるタイプの浮きに関する。
【０００２】
【従来の技術】
魚釣りの際に用いられる浮きとして、「中通し浮き」と呼ばれるタイプのものがある。この中通し浮きは、釣糸が挿通する貫通孔を軸方向に有しており、ここに釣糸を挿通した上で止めピンなどを貫通孔に挿入して、釣糸上の任意に位置に固定される。
【０００３】
ところで、魚釣りの最中にあっては、仕掛けの位置する深さや、仕掛けの沈み方や流れ方等を調整するために、浮きの種類や大きさを変更する必要が生じる場合がある。しかし、このような中通し浮きは釣糸が貫通孔を挿通しているので、浮きを交換するためには一々釣糸を切断して、再度中通し浮きを釣糸上に配置しなければならない。
【０００４】
そこで、近時、このように一々釣糸を切断する必要なく、そのまま後から浮きを釣糸に取り付け得る「後付けタイプ」の浮きが提供されるようになっている（例えば、特許文献１参照）。このタイプの浮きは、スリットから釣糸を浮きの中に滑り込ませたうえで、釣糸を止めピンなどで位置決めするように工夫されている。
【０００５】
【特許文献１】
特開平７−２５５３４０号公報（図１）。
【０００６】
【発明が解決しようとする課題】
しかし、いわゆる後付け浮きも、浮力や形状の異なる浮きへ交換したくなった場合には、浮き自体を釣糸から取り外し、再度別の浮きを釣糸に装着して浮きを交換しなければならない。この意味では交換操作が煩雑である。釣り場においては、より簡易且つ迅速に浮きの大きさや形状等を変更する必要がある。
【０００７】
本発明は、簡易な作業で浮きの大きさ・形状等を変更可能な浮きを提供することにある。
【０００８】
【課題を解決するための手段】
発明１の浮きは、魚釣りの際に釣糸に取り付ける浮きであって、内部に長手方向に貫通する収納部を有すると共に外から収納部に至るスリットが長手方向に延びて形成されている外殻体と、収納部内に径方向平面において回転自在に収納され、径方向中央付近を長手方向に貫通する貫通孔及び外から貫通孔に至るスリットが長手方向に延びて形成されており、外より圧をかけることで貫通孔が圧縮され得る弾性を有する釣糸掴持体と、外殻体内の収納部内に於いて釣糸掴持体に圧をかけて圧縮する圧縮状態とその圧を解除する解放状態とを作り出す変圧手段と、外殻体若しくは釣糸掴持体の外周に脱着自在に装着される交換浮き体と、
を備える。
【０００９】
この浮きは、以下のような手順で釣糸に「後付け」される。まず、外殻体の収納部に収納されている釣糸掴持体を径方向平面に於いて回転させて、外殻部のスリットと釣糸掴持体のスリットとを合致させる。そして、このスリットに釣糸を差し込んで釣糸掴持体の貫通孔に釣糸を配置する。その後、変圧手段により釣糸掴持体に圧をかけて圧縮状態とし釣糸掴持体の貫通孔を圧縮する。このようにして、釣糸掴持体が釣糸を掴み、釣糸の所定の位置に浮きが後付けされる。
【００１０】
続いて、外殻体若しくは釣糸掴持体の外周に、任意の交換浮き体を装着する。交換浮き体は、球体・棒体など種々の形状のものを用意する。また、それぞれ比重の異なるものを用意する。そして、釣りの情況に応じて、釣人が任意の交換浮き体を外殻体若しくは釣糸掴持体に装着する。
発明２の浮きは、発明１の浮きであって、交換浮き体は外殻体若しくは釣糸摘持体を収納可能な中空が形成された本体部を有し、本体部には外から中空に至るスリットが長手方向に延びて形成されている。
【００１１】
交換浮き体を外殻体若しくは釣糸掴持体に装着する際には、スリットから中空内に外殻体若しくは釣糸掴持体を押し入れる。
発明３の浮きは、発明２の浮きであって、外殻体若しくは釣糸摘持体は外周面に滑止機構を有する。
滑止機構が外殻体若しくは釣糸掴持体の外周面に装着した交換浮き体が滑りずれたり滑り落ちたりするのを抑えている。
【００１２】
発明４の浮きは、魚釣りの際に釣糸に取り付ける浮きであって、釣糸が貫通する貫通孔を有する本体部と、本体部を釣糸上の任意の位置で位置決めするための位置決め手段と、本体部に脱着自在に装着される交換浮き体とを備える。
この浮きは、予め本体部の貫通孔に釣糸を挿通させて於いた上で、位置決め手段により、釣糸上の任意の位置に浮きを位置決めして用いられる。位置決め後、本体部の外周に、任意の交換浮き体を装着する。交換浮き体は、球体・棒体など種々の形状のものを用意する。また、それぞれ比重の異なるものを用意する。そして、釣りの情況に応じて、釣人が任意の交換浮き体を本体部に装着する。
【００１３】
発明５の浮きは、発明４の浮きであって、釣糸が貫通する貫通孔を長手方向に有すると共に外から貫通孔に至るスリットが長手方向に延びて形成されており、一端側ほど外径が小径化するテーパ棒を有している。一方、本体部の貫通孔の一端側内周面は内方向ほど小径化するテーパ面となっている。そして、位置決め手段は本体部のテーパ面とテーパ棒である。
【００１４】
この浮きでは、本体部の貫通孔に釣糸を挿通した後で、テーパ棒のスリットからテーパ棒の貫通孔内に釣糸を滑り込ませ、さらに、このテーパ棒を本体部のテーパ面内に挿入して、本体部を釣糸の任意の位置で位置決めする。
【００１５】
【発明の実施の形態】
［第１実施形態］
以下、本発明の第１実施形態について図面を参照しつつ説明する。
図１及び図２に示すように、本発明の第１実施形態を採用した浮きは、外殻部１と、外殻部１の内部に一端側端部が収納される釣糸掴持体２と、釣糸掴持体２の周面上に脱着自在に装着される交換浮き体３とから構成されている。
【００１６】
釣糸掴持体２は、図２に詳しく示すような略細棒型部材である。この釣糸掴持体２は、例えば、ポリエステル系のエラストマー等の合成樹脂材からなる。長手方向一端側は小径化した上でその外周面にねじ溝が形成されており、この部分がボルト部分となっている。この釣糸掴持体２の径方向中央には長手方向に延びる貫通孔２ａが形成されると共に、この貫通孔２ａに至るスリット２ｂが長手方向に連続的に形成されている。この貫通孔２ａ及びスリット２ｂは釣糸Ｌが挟む込まれる部分である。また、釣糸掴持体２のボルト部分以外の周面には軸方向に間隔を隔てて一周方向にわたって形成される凹溝２ｃが複数箇所に形成されている。凹溝２ｃは後に詳しく説明する交換浮き体３の軸方向への滑りを抑えるためのものである。
【００１７】
外殻部１は、ＡＢＳ樹脂やポリカーボネイトなどの比較的硬質の合成樹脂からなる部材であって、軸方向の他端面に開口する中空の収納部１ａが内部に形成されている。また、一端側面には収納部１ａに連通する貫通孔も形成されている。そして、外から収納部１ａ及び貫通孔に至るスリットが長手方向に連続的に形成されている。
【００１８】
収納部１ａは、開口側ほど大径化するテーパ内周面となっており、この内周面にねじ溝が形成されてナット部分となっている。即ち、開口側より奥になるに従って小径化するテーパがナット部分に施されている。このナット部分に上述の釣糸掴持体２のボルト部分が螺着することで、釣糸掴持体２は圧縮される圧縮状態とその圧が解放された解放状態とになる。なお、このナット部分及びボルト部分は、スリットが形成されているためねじ込みにより変形が生じてしまう恐れもある。そこで、矩形ネジや方形ネジなどを利用するのも好ましい。
【００１９】
交換浮き体３はＡＢＳ樹脂，ポリウレタン等の合成樹脂から構成されるパイプ状の部材である。パイプの内部には釣糸掴持体２が収納可能である。上述の周面からパイプの内部の中空に至るスリットが軸方向に連続して形成されており、素材の弾性によりスリットを開いてここから釣糸掴持体２を収納する。中空の内周面には軸方向に間隔を隔てて内方向に突出するように一周にわたって形成された係止突起３ａが形成される。この係止突起３ａが釣糸掴持体２の凹溝２ｃに嵌る。
【００２０】
この実施形態では、交換浮き体３は、パイプ状のものを例示しているが、その形状はこれに限定されるものではなく、球体等の様々なものを複数用意しておく。また、同じ形状のものであってもその比重も様々に変化させたもの（例えば、比重が1.1，1.0，0.8等）を複数用意しておく。
この浮きは、以下のような手順で釣糸に「後付け」する。まず、外殻体１の収納部１ａに螺着している釣糸掴持体２を緩めるべく径方向平面に於いて回転させて、外殻部１のスリットと釣糸掴持体２のスリットとを合致させる。若しくは、外殻体１と釣糸掴持体２との螺着を解除する。そして、外殻体１のスリットと釣糸掴持体２のスリットにそれぞれ釣糸Ｌを差し込んで、外殻体１と釣糸掴持体２の貫通孔に釣糸Ｌを配置する（図３（ａ）参照）。続いて、釣糸掴持体２を回転させて外殻体１に螺着する。釣糸掴持体２のボルト部分が外殻体１のナット部分のテーパにより締め付けられ、釣糸掴持体２がその貫通孔内の釣糸Ｌを掴む。
【００２１】
このように、釣糸掴持体２が釣糸Ｌを掴み、釣糸Ｌの所定の位置に浮きが後付けされる。解除するときは、この逆の手順を行う。その後、釣糸掴持体２の外周に、準備してある任意の交換浮き体３を装着する（図３（ｂ）参照）。即ち、釣りの情況に応じて、釣人が任意の交換浮き体３のスリットから釣糸掴持体２を収納する（図３（ｃ）参照）。
【００２２】
［第２実施形態］
以下、本発明の第２実施形態を説明する。
図４に示すように、本発明の第２実施形態を採用した浮きは、本体部１２と固定ピン１１と、交換浮き体１３とから構成されている。
本体部１２は、例えば、ポリエステル系のエラストマー等の弾性体からなる細棒型の部材である。軸方向一端側は他の部分より一段太径化した上で一端側端部ほど小径化するようなテーパが施されている。本体部１２は軸方向に貫通する貫通孔が形成されており、ここに釣糸Ｌが挿通される。また、貫通孔の一端側は拡径化するテーパ内周面となっている。このテーパ内周面には周方向に滑り止め用に複数の凹溝などを形成してもよい。
【００２３】
固定ピン１１は、ＡＢＳ樹脂等の合成樹脂から形成されるピンである。釣糸Ｌが貫通する貫通孔を長手方向に有すると共に外からこの貫通孔に至るスリット１１ａが長手方向に延びて形成されている。軸方向一端側には径方向において外側にフランジ状に広がる頭を有し、頭以外の部分は他端側ほど外径が小径化するテーパ面となっている。
【００２４】
交換浮き体１３はＡＢＳ樹脂，ポリウレタン等の合成樹脂から構成される略球体型の部材である。上下両側の一部が切り取られて平面化されており、この上下両面方向に向かって貫通するように内部は中空となっている。また、外からこの内部の中空に至るスリット１３ａが上下方向に連続して形成されている。交換浮き体１３の内部の中空は上述の本体部１２を内抱する部分である。この交換浮き体１３も第１実施形態と同様に複数の異なる比重・形状のものを準備しておく。
【００２５】
この浮きは、図５（ａ）に示すように、予め、本体部１２の貫通孔に釣糸Ｌを挿通させておき、浮きを釣糸Ｌ上の任意に位置に移動させる。そして、固定ピン１１のスリットから固定ピン１１の貫通孔内に釣糸Ｌを滑り込ませ、さらに、この固定ピン１１を本体部１２のテーパ面内に押し込む。固定ピン１１は本体部１２のテーパにより圧縮されて釣糸Ｌを摘み、浮きは釣糸Ｌの所定の位置に位置決めされる（図５（ｂ）参照）。そして、位置決め後、本体部１２の外周に、任意の交換浮き体１３を装着する（図５（ｃ）参照）。
【００２６】
【発明の効果】
本発明に係る浮きは、釣糸上の任意の位置に装着可能であり、且つ、簡易な作業で浮きの大きさ・形状等を変更可能である。釣りを行っている最中に浮きを素早く交換して、情況に応じた釣りを行うことができる。
【図面の簡単な説明】
【図１】本発明の第１実施形態を採用した浮きの全体図。
【図２】図１の浮きの分解図。
【図３】図１の浮きの釣糸Ｌへの装着態様を示した図。
【図４】本発明の第２実施形態を採用した浮きの分解図。
【図５】図４の浮きの釣糸Ｌへの装着態様を示した図。
【符号の説明】
１  外殻部
２  釣糸掴持体
３，１３  交換浮き体
１１  固定ピン
１２  本体部
Ｌ  釣糸
【図１】
2004201575.tif 000003
【図２】
2004201575.tif 000004
【図３】
2004201575.tif 000005
【図４】
2004201575.tif 000006
【図５】
2004201575.tif 000007